(57)【特許請求の範囲】
【請求項１】
同一加入者によって同一番号で利用可能な複数の移動端末間で、通信中に転送の切替え制御を行う移動通信方法であって、
前記同一加入者によって同一番号で利用可能な複数の移動端末の中から、前記通信中の移動端末が当該通信を継続して使用するための他の移動端末を検出する工程と、
前記通信中の移動端末が前記検出された移動端末に対して切替えのための転送要求を送信する工程と、
前記検出された移動端末からの認証要求に応答して、前記通信中の移動端末が該検出された移動端末の認証を行う工程と、
前記通信中の移動端末は、前記認証の結果が容認されたとき、該認証結果を前記検出された移動端末に通知すると共に、移動端末切替えの転送処理を実行するためにサービス制御局に対して情報の書換え要求を送信する工程と、
前記サービス制御局は、前記通信中の移動端末から送信された前記情報の書換え要求に応答して、当該加入者が通信中か否かを判断し、該通信中であればメモリ内の情報を書換えて、交換局に対して該通信中の移動端末から前記検出された移動端末への転送処理を実行するための情報の書換え応答を送信する工程と
を具えたことを特徴とする移動通信方法。
【請求項２】
前記情報の書換え応答を送信する工程において、
前記サービス制御局は、前記通信中の移動端末から送信された前記情報の書換え要求に応答して、当該加入者が通信中か否かを判断し、該通信中であればメモリ内の利用可否フラグ情報を書換えて、交換局に対して該通信中の移動端末から前記検出された移動端末への転送処理を実行するための情報の書換え応答を送信する工程を含むことを特徴とする請求項１記載の移動通信方法。
【請求項３】
前記情報の書換え応答を送信する工程において、
前記サービス制御局は、前記通信中の移動端末から送信された前記情報の書換え要求に応答して、当該加入者が通信中か否かを判断し、該通信中であればメモリ内の機体番号情報を書換えて、交換局に対して該通信中の移動端末から前記検出された移動端末への転送処理を実行するための情報の書換え応答を送信する工程を含むことを特徴とする請求項１記載の移動通信方法。
【請求項４】
同一加入者によって同一番号で利用可能な複数の移動端末間で、通信中に転送の切替え制御を行う移動通信方法であって、
前記同一加入者によって同一番号で利用可能な複数の移動端末の中から、前記通信中の移動端末が当該通信を継続して使用するための他の移動端末を検出する工程と、
前記通信中の移動端末が前記検出された移動端末に対して切替えのための転送要求を送信する工程と、
前記検出された移動端末からの認証要求に応答して、前記通信中の移動端末が該検出された移動端末の認証を行う工程と、
前記通信中の移動端末は、前記認証の結果が容認されたとき、該認証結果を前記検出された移動端末に通知する工程と、
前記検出された移動端末は、移動端末切替えの転送処理を実行するためにサービス制御局に対して情報の書換え要求を送信する工程と、
前記サービス制御局は、前記検出された移動端末から送信された前記情報の書換え要求に応答して、当該加入者が通信中か否かを判断し、該通信中であればメモリ内の情報を書換えて、交換局に対して該通信中の移動端末から前記検出された移動端末への転送処理を実行するための情報の書換え応答を送信する工程と
を具えたことを特徴とする移動通信方法。
【請求項５】
前記情報の書換え応答を送信する工程において、
前記サービス制御局は、前記検出された移動端末から送信された前記情報の書換え要求に応答して、当該加入者が通信中か否かを判断し、該通信中であればメモリ内の利用可否フラグ情報を書換えて、交換局に対して該通信中の移動端末から前記検出された移動端末への転送処理を実行するための情報の書換え応答を送信する工程を含むことを特徴とする請求項４記載の移動通信方法。
【請求項６】
前記情報の書換え応答を送信する工程において、
前記サービス制御局は、前記検出された移動端末から送信された前記情報の書換え要求に応答して、当該加入者が通信中か否かを判断し、該通信中であればメモリ内の機体番号情報を書換えて、交換局に対して該通信中の移動端末から前記検出された移動端末への転送処理を実行するための情報の書換え応答を送信する工程を含むことを特徴とする請求項４記載の移動通信方法。
【請求項７】
同一加入者によって同一番号で利用可能な複数の移動端末と、サービス制御局との間で、通信中に転送の切替え制御を行う移動通信システムであって、
前記複数の移動端末において、
前記同一加入者によって同一番号で利用可能な複数の移動端末の中から、前記通信中の移動端末が当該通信を継続して使用するための他の移動端末を検出する手段と、
前記通信中の移動端末が前記検出された移動端末に対して切替えのための転送要求を送信する手段と、
前記検出された移動端末からの認証要求に応答して、前記通信中の移動端末が該検出された移動端末の認証を行う手段と、
前記通信中の移動端末は、前記認証の結果が容認されたとき、該認証結果を前記検出された移動端末に通知すると共に、移動端末切替えの転送処理を実行するためにサービス制御局に対して情報の書換え要求を送信する手段と
を具え、
前記サービス制御局において、
前記通信中の移動端末から送信された前記情報の書換え要求に応答して、当該加入者が通信中か否かを判断し、該通信中であればメモリ内の情報を書換えて、交換局に対して該通信中の移動端末から前記検出された移動端末への転送処理を実行するための情報の書換え応答を送信する手段を具えたことを特徴とする移動通信システム。
【請求項８】
前記情報の書換え応答を送信する手段において、
前記サービス制御局は、前記通信中の移動端末から送信された前記情報の書換え要求に応答して、当該加入者が通信中か否かを判断し、該通信中であればメモリ内の利用可否フラグ情報を書換えて、交換局に対して該通信中の移動端末から前記検出された移動端末への転送処理を実行するための情報の書換え応答を送信する手段を含むことを特徴とする請求項７記載の移動通信システム。
【請求項９】
前記情報の書換え応答を送信する手段において、
前記サービス制御局は、前記通信中の移動端末から送信された前記情報の書換え要求に応答して、当該加入者が通信中か否かを判断し、該通信中であればメモリ内の機体番号情報を書換えて、交換局に対して該通信中の移動端末から前記検出された移動端末への転送処理を実行するための情報の書換え応答を送信する手段を含むことを特徴とする請求項７記載の移動通信システム。
【請求項１０】
同一加入者によって同一番号で利用可能な複数の移動端末と、サービス制御局との間で、通信中に転送の切替え制御を行う移動通信システムであって、
前記複数の移動端末において、
前記同一加入者によって同一番号で利用可能な複数の移動端末の中から、前記通信中の移動端末が当該通信を継続して使用するための他の移動端末を検出する手段と、
前記通信中の移動端末が前記検出された移動端末に対して切替えのための転送要求を送信する手段と、
前記検出された移動端末からの認証要求に応答して、前記通信中の移動端末が該検出された移動端末の認証を行う手段と、
前記通信中の移動端末は、前記認証の結果が容認されたとき、該認証結果を前記検出された移動端末に通知する手段と、
前記検出された移動端末は、移動端末切替えの転送処理を実行するためにサービス制御局に対して情報の書換え要求を送信する手段と
を具え、
前記サービス制御局において、
前記検出された移動端末から送信された前記情報の書換え要求に応答して、当該加入者が通信中か否かを判断し、該通信中であればメモリ内の情報を書換えて、交換局に対して該通信中の移動端末から前記検出された移動端末への転送処理を実行するための情報の書換え応答を送信する手段を具えたことを特徴とする移動通信システム。
【請求項１１】
前記情報の書換え応答を送信する手段において、
前記サービス制御局は、前記検出された移動端末から送信された前記情報の書換え要求に応答して、当該加入者が通信中か否かを判断し、該通信中であればメモリ内の利用可否フラグ情報を書換えて、交換局に対して該通信中の移動端末から前記検出された移動端末への転送処理を実行するための情報の書換え応答を送信する手段を含むことを特徴とする請求項１０記載の移動通信システム。
【請求項１２】
前記情報の書換え応答を送信する手段において、
前記サービス制御局は、前記検出された移動端末から送信された前記情報の書換え要求に応答して、当該加入者が通信中か否かを判断し、該通信中であればメモリ内の機体番号情報を書換えて、交換局に対して該通信中の移動端末から前記検出された移動端末への転送処理を実行するための情報の書換え応答を送信する手段を含むことを特徴とする請求項１０記載の移動通信システム。
【請求項１３】
同一加入者によって同一番号で利用可能な複数の移動端末間で、通信中に転送の切替え制御を行う移動端末装置であって、
前記同一加入者によって同一番号で利用可能な複数の移動端末の中から、前記通信中の移動端末が当該通信を継続して使用するための他の移動端末を検出する手段と、
前記通信中の移動端末が前記検出された移動端末に対して切替えのための転送要求を送信する手段と、
前記検出された移動端末からの認証要求に応答して、前記通信中の移動端末が該検出された移動端末の認証を行う手段と、
前記通信中の移動端末は、前記認証の結果が容認されたとき、該認証結果を前記検出された移動端末に通知すると共に、移動端末切替えの転送処理を実行するためにサービス制御局に対して情報の書換え要求を送信する手段と
を具えたことを特徴とする移動端末装置。
【請求項１４】
同一加入者によって同一番号で利用可能な複数の移動端末間で、通信中に転送の切替え制御を行う移動端末装置であって、
前記同一加入者によって同一番号で利用可能な複数の移動端末の中から、前記通信中の移動端末が当該通信を継続して使用するための他の移動端末を検出する手段と、
前記通信中の移動端末が前記検出された移動端末に対して切替えのための転送要求を送信する手段と、
前記検出された移動端末からの認証要求に応答して、前記通信中の移動端末が該検出された移動端末の認証を行う手段と、
前記通信中の移動端末は、前記認証の結果が容認されたとき、該認証結果を前記検出された移動端末に通知する手段と、
前記検出された移動端末は、移動端末切替えの転送処理を実行するためにサービス制御局に対して情報の書換え要求を送信する手段と
を具えたことを特徴とする移動端末装置。
【発明の詳細な説明】
【０００１】
【発明の属する技術分野】
本発明は、ユーザが複数の移動端末を共有して使用可能な場合において、通信中の呼を、ユーザが使用可能な別の移動端末へ切替え転送する、移動通信方法および移動通信システムに関する。
【０００２】
【従来の技術】
近年の移動通信の普及により、同一のユーザが必要に応じて複数の通信端末を使用する機会が増大してきた。
【０００３】
例えば、ビジネスでの連絡用と個人的に使用するための移動端末を複数使い分ける場合、車載型の高出力端末と軽量小型の移動端末とを使い分ける場合、又は、ＰＣカード型のデータ通信用専用端末と音声通話機能を持つ移動端末とを必要に応じて使い分ける場合などが想定される。
【０００４】
従来の移動通信システムにおいては、ユーザが予め契約している複数の移動端末において、同一電話番号を使い分けることが可能である（特開平１１−２３４７４８号公報参照）。
【０００５】
【発明が解決しようとする課題】
しかし、使用可能な移動端末の切替操作は、切替操作時に使用不可能な移動端末からの操作に限られており、使用可能な移動端末からの切替操作は許容していない。
【０００６】
また、移動端末の切替操作は、全ての移動端末が非通信中に限られている。
【０００７】
その結果、以下のような問題が生じる。
【０００８】
まず、同一電話番号を複数の移動端末で使い分けるためには、使用したい移動端末の機体番号をサービス制御局内のデータベースに予め登録しておかなければならないという問題がある。
【０００９】
さらに、同一電話番号を複数の移動端末で使用可能とする契約を行っているユーザがある移動端末で通信中に移動端末のバッテリー消耗や電波状態の悪化等の何らかの理由で通信を継続することが困難になった場合、ユーザは、同一電話番号で利用可能な複数の移動端末を持つにも関わらず、一つの移動端末で通信を行っている間は切替操作を許容しないため、当該移動端末で通信中の呼を別の移動端末に切り替えて通信を継続することができないという問題がある。
【００１０】
そこで、本発明の目的は、ある端末において通信中に、該通信の継続が困難となった場合、同一番号の他の使用可能な端末に通信中の呼を切り替えて通信を継続することによって、ユーザの利便性を向上させることが可能な、移動通信方法および移動通信システムを提供することにある。
【００１１】
【課題を解決するための手段】
本発明は、同一加入者によって同一番号で利用可能な複数の移動端末間で、通信中に転送の切替え制御を行う移動通信方法であって、前記同一加入者によって同一番号で利用可能な複数の移動端末の中から、前記通信中の移動端末が当該通信を継続して使用するための他の移動端末を検出する工程と、前記通信中の移動端末が前記検出された移動端末に対して切替えのための転送要求を送信する工程と、前記検出された移動端末からの認証要求に応答して、前記通信中の移動端末が該検出された移動端末の認証を行う工程と、前記通信中の移動端末は、前記認証の結果が容認されたとき、該認証結果を前記検出された移動端末に通知すると共に、移動端末切替えの転送処理を実行するためにサービス制御局に対して情報の書換え要求を送信する工程と、前記サービス制御局は、前記通信中の移動端末から送信された前記情報の書換え要求に応答して、当該加入者が通信中か否かを判断し、該通信中であればメモリ内の情報を書換えて、交換局に対して該通信中の移動端末から前記検出された移動端末への転送処理を実行するための情報の書換え応答を送信する工程とを具えたことを特徴とする。
【００１２】
前記情報の書換え応答を送信する工程において、前記サービス制御局は、前記通信中の移動端末から送信された前記情報の書換え要求に応答して、当該加入者が通信中か否かを判断し、該通信中であればメモリ内の利用可否フラグ情報を書換えて、交換局に対して該通信中の移動端末から前記検出された移動端末への転送処理を実行するための情報の書換え応答を送信する工程を含むことを特徴とする。
【００１３】
前記情報の書換え応答を送信する工程において、前記サービス制御局は、前記通信中の移動端末から送信された前記情報の書換え要求に応答して、当該加入者が通信中か否かを判断し、該通信中であればメモリ内の機体番号情報を書換えて、交換局に対して該通信中の移動端末から前記検出された移動端末への転送処理を実行するための情報の書換え応答を送信する工程を含むことを特徴とする。
【００１４】
本発明は、同一加入者によって同一番号で利用可能な複数の移動端末間で、通信中に転送の切替え制御を行う移動通信方法であって、前記同一加入者によって同一番号で利用可能な複数の移動端末の中から、前記通信中の移動端末が当該通信を継続して使用するための他の移動端末を検出する工程と、前記通信中の移動端末が前記検出された移動端末に対して切替えのための転送要求を送信する工程と、前記検出された移動端末からの認証要求に応答して、前記通信中の移動端末が該検出された移動端末の認証を行う工程と、前記通信中の移動端末は、前記認証の結果が容認されたとき、該認証結果を前記検出された移動端末に通知する工程と、前記検出された移動端末は、移動端末切替えの転送処理を実行するためにサービス制御局に対して情報の書換え要求を送信する工程と、前記サービス制御局は、前記検出された移動端末から送信された前記情報の書換え要求に応答して、当該加入者が通信中か否かを判断し、該通信中であればメモリ内の情報を書換えて、交換局に対して該通信中の移動端末から前記検出された移動端末への転送処理を実行するための情報の書換え応答を送信する工程とを具えたことを特徴とする。
【００１５】
本発明は、同一加入者によって同一番号で利用可能な複数の移動端末と、サービス制御局との間で、通信中に転送の切替え制御を行う移動通信システムであって、前記複数の移動端末において、前記同一加入者によって同一番号で利用可能な複数の移動端末の中から、前記通信中の移動端末が当該通信を継続して使用するための他の移動端末を検出する手段と、前記通信中の移動端末が前記検出された移動端末に対して切替えのための転送要求を送信する手段と、前記検出された移動端末からの認証要求に応答して、前記通信中の移動端末が該検出された移動端末の認証を行う手段と、前記通信中の移動端末は、前記認証の結果が容認されたとき、該認証結果を前記検出された移動端末に通知すると共に、移動端末切替えの転送処理を実行するためにサービス制御局に対して情報の書換え要求を送信する手段とを具え、前記サービス制御局において、前記通信中の移動端末から送信された前記情報の書換え要求に応答して、当該加入者が通信中か否かを判断し、該通信中であればメモリ内の情報を書換えて、交換局に対して該通信中の移動端末から前記検出された移動端末への転送処理を実行するための情報の書換え応答を送信する手段を具えたことを特徴とする。
【００１６】
本発明は、同一加入者によって同一番号で利用可能な複数の移動端末と、サービス制御局との間で、通信中に転送の切替え制御を行う移動通信システムであって、前記複数の移動端末において、前記同一加入者によって同一番号で利用可能な複数の移動端末の中から、前記通信中の移動端末が当該通信を継続して使用するための他の移動端末を検出する手段と、前記通信中の移動端末が前記検出された移動端末に対して切替えのための転送要求を送信する手段と、前記検出された移動端末からの認証要求に応答して、前記通信中の移動端末が該検出された移動端末の認証を行う手段と、前記通信中の移動端末は、前記認証の結果が容認されたとき、該認証結果を前記検出された移動端末に通知する手段と、前記検出された移動端末は、移動端末切替えの転送処理を実行するためにサービス制御局に対して情報の書換え要求を送信する手段とを具え、前記サービス制御局において、前記検出された移動端末から送信された前記情報の書換え要求に応答して、当該加入者が通信中か否かを判断し、該通信中であればメモリ内の情報を書換えて、交換局に対して該通信中の移動端末から前記検出された移動端末への転送処理を実行するための情報の書換え応答を送信する手段を具えたことを特徴とする。
【００１７】
本発明は、同一加入者によって同一番号で利用可能な複数の移動端末間で、通信中に転送の切替え制御を行う移動端末装置であって、前記同一加入者によって同一番号で利用可能な複数の移動端末の中から、前記通信中の移動端末が当該通信を継続して使用するための他の移動端末を検出する手段と、前記通信中の移動端末が前記検出された移動端末に対して切替えのための転送要求を送信する手段と、前記検出された移動端末からの認証要求に応答して、前記通信中の移動端末が該検出された移動端末の認証を行う手段と、前記通信中の移動端末は、前記認証の結果が容認されたとき、該認証結果を前記検出された移動端末に通知すると共に、移動端末切替えの転送処理を実行するためにサービス制御局に対して情報の書換え要求を送信する手段とを具えたことを特徴とする。
【００１８】
本発明は、同一加入者によって同一番号で利用可能な複数の移動端末間で、通信中に転送の切替え制御を行う移動端末装置であって、前記同一加入者によって同一番号で利用可能な複数の移動端末の中から、前記通信中の移動端末が当該通信を継続して使用するための他の移動端末を検出する手段と、前記通信中の移動端末が前記検出された移動端末に対して切替えのための転送要求を送信する手段と、前記検出された移動端末からの認証要求に応答して、前記通信中の移動端末が該検出された移動端末の認証を行う手段と、前記通信中の移動端末は、前記認証の結果が容認されたとき、該認証結果を前記検出された移動端末に通知する手段と、前記検出された移動端末は、移動端末切替えの転送処理を実行するためにサービス制御局に対して情報の書換え要求を送信する手段と
を具えたことを特徴とする。
【００２３】
【発明の実施形態】
以下、図面を参照して、本発明の実施形態を詳細に説明する。
【００２４】
［第１の例］
まず、本発明の第１の実施の形態を、図１〜図３に基づいて説明する。
【００２５】
（概要）
本発明は、同一番号を共有可能である１ないしは複数の端末と、１つの番号に対応して１ないしは複数の端末の機体番号および位置情報を記憶する記憶領域を有するサービス制御装置とによって構成される移動通信システムにおいて、端末の１つを用いて通信中の呼を、同一番号を使用可能な他の端末への切替え転送処理を行うことに関する。
【００２６】
すなわち、端末の１つが通信中の状態である場合、当該端末と、同一番号を使用可能な他の端末との間で認証処理を実行し、切替え処理を行う。換言すれば、端末の１つが通信中の状態である場合、当該通話中の端末が、同一番号で使用可能な他の端末を自動的に検出して、通信中の呼の切替え処理を実行する。
【００２７】
（具体例）
以下、具体的な例を挙げて説明する。
【００２８】
（システム構成）
まず、本システムの構成について説明する。
【００２９】
図１は、本発明に係る移動通信システムの構成例を示す。
【００３０】
本移動通信システムは、移動端末１〜３と、基地局１１〜１４と、交換局２１〜２２と、サービス制御局３０と、これら各部間を接続する通信回線４０とによって構成されている。
【００３１】
移動端末１〜３は、同一の加入者によって使用される移動端末であり、各々に対して個別の機体番号ＭＳＩ１，ＭＳＩ２，ＭＳＩ３と、共通の電話番号ＭＳＮ１とが付与されている。
【００３２】
ここで、移動端末１は車載型、移動端末２は携帯型、移動端末３はデータ通信カード一体型である。
【００３３】
このように同一電話番号を複数の移動端末で共有して使用可能とする形態を、以下「複数端末契約者」と呼ぶ。
【００３４】
移動端末１〜３は、図１（ｂ）に示すように、検知部５１と、転送要求部５２と、認証要求部５３とを備えている。
【００３５】
検知部５１は、同一番号（同一電話番号）で使用可能な他の端末を検知する機能をもつ。転送要求部５２は、検知により使用可能とされた端末に対して、転送要求を行う機能をもつ。認証要求部５３は、使用可能とされた端末から受信した転送要求に基づいて、認証要求を行う機能をもつ。
【００３６】
なお、移動端末１〜３は、Ｂｌｕｅｔｏｏｔｈ（微弱電波）などの近距離無線通信をサポートし、移動端末間で直接通信を行うことが可能である。
【００３７】
基地局１１〜１４は、所定間隔で設置されており、各々が形成する無線ゾーンに在圏した端末との間で通信を行う機能を有する。
【００３８】
交換局２１〜２２は、複数の基地局を収容し、配下の基地局および他の交換局と交信し、移動端末１〜３に対する呼接続を行う。
【００３９】
３０は、サービス制御局であり、その内部のデータべース（ＤＢ）３１に基づき、交換局２１〜２２に対して、移動端末に関する各種情報を提供する。
【００４０】
本サービス制御局には、データベース３１を含む記憶部３１ａと、判断部３２と、ＣＰＵ等を含む制御部３３とが備えられている。
【００４１】
記憶部３１ａは、同一番号が共有化された各端末に対応した、転送の切替え要求に関する切替要求情報（図２の利用可否フラグ４４）を記憶する機能をもつ。
【００４２】
判断部３２は、認証した１つの端末からの出力か、又は、認証された他の端末からの出力かを判断する機能をもつ。
【００４３】
制御部３３は、他の端末からの出力と判断した場合には、記憶部３１ａに記憶された切替要求情報に基づいて転送の切替え処理を実行する機能をもつ。
【００４４】
図２は、サービス制御局３０の内部のデータベース３１に記憶されているデータ内容を示す。
【００４５】
４１は、電話番号記憶部であり、加入者の電話番号が記憶されている。４２は、機体番号記憶部であり、電話番号記憶部４１の１つの電話番号に対応して１又は複数の機体番号が記憶される。４３は、所在情報部であり、各機体番号に対応して移動端末が在圏するエリアの番号が記憶されている。４４は、利用可否フラグであり、各移動端末が使用可能状態「１」であるか使用不可状態「０」であるかを記憶する。
【００４６】
ここで、使用可能状態「１」に設定されている移動端末は、同一の電話番号が割り当てられているグループのうちいずれか１つの移動端末であり、他の移動端末は使用不可状態「０」に設定される。
【００４７】
機体番号記憶部４２には、電話番号ＭＳＮ１が割り当てられた３つの移動端末１〜３に対応する機体番号ＭＳＩ１，ＭＳＩ２，ＭＳＩ３が記憶されている。また、所在情報部４３には、各移動端末の所在情報（在圏エリア番号）Ａ１１，Ａ１２，Ａ１３が機体番号ＭＳＩ１，ＭＳＩ２，ＭＳＩ３に対応して記憶されている。そして、機体番号ＭＳＩ１，ＭＳＩ２，ＭＳＩ３に対応する利用可否フラグ４４は、機体番号ＭＳＩ１に対応するもののみが使用可能状態「１」に設定され、他の移動端末は使用不可状態「０」に設定されている。
【００４８】
（システム動作）
次に、本システムの動作について説明する。
【００４９】
（１）転送元の端末から転送要求を行う場合
以下、転送元の端末から転送要求を行う場合について説明する。
【００５０】
図３は、ユーザＡが移動端末１（以下、移動端末Ａ１という）にて通信中に、使用中の移動端末Ａ１から移動通信網へ転送要求を行う場合のシーケンス図である。
【００５１】
ユーザＡは複数端末契約者であり、電話番号ＭＳＮ１が割り当てられた移動端末Ａ１、移動端末Ａ２、移動端末Ａ３を使用することが可能である。ここで、移動端末Ａ１、移動端末Ａ２、移動端末Ａ３はそれぞれ機体番号ＭＳＩ１，ＭＳＩ２，ＭＳＩ３を持つ。
【００５２】
ユーザＡの移動端末Ａ１とユーザＢの移動端末１（以下、移動端末Ｂ１という）とが通信中の状態において（ステップＳ１）、移動端末Ａ１においてバッテリー消耗のため通信の継続が困難になった場合、移動端末Ａ１は自律的にバッテリー消耗を検出し、アラームを鳴らすことや液晶画面への文字メッセージ表示、または警告ランプなどの手段により、ユーザＡに通信継続が困難になった旨を警告する（ステップＳ２）。
【００５３】
移動端末Ａ１は、同一電話番号ＭＳＮ１で使用可能な移動端末Ａ２、移動端末Ａ３の中から現在の通信を継続するための端末として周囲にある使用可能な移動端末Ａ２を検出し（ステップＳ３）、移動端末Ａ２に対し転送要求を送信する（ステップＳ４）。
【００５４】
この際、移動端末Ａ２を選択する手段としては、移動端末Ａ１が移動端末Ａ２を自律的に検出する方法のほか、警告を受けたユーザＡが移動端末Ａ２を意図的に選択する方法のいずれでもよい。
【００５５】
移動端末Ａ１からの転送要求を受信した移動端末Ａ２は、移動端末Ａ１に対して機体番号ＭＳＩ２を送信し、認証要求を行う（ステップＳ５）。
【００５６】
移動端末Ａ１は、認証結果がＯＫであればその旨を移動端末Ａ２に通知し（ステップＳ６）、交換局２１に対して、機体番号ＭＳＩ１から機体番号ＭＳＩ２への転送要求を行う（ステップＳ７）。
【００５７】
移動端末Ａ１から転送要求を受信した交換局２１は、サービス制御局３０に使用中の端末の機体番号の情報書き換え要求を送信する（ステップＳ８）。
【００５８】
サービス制御局３０は、当該加入者が通信中であるか否かを判断し（ステップＳ９）、通信中であれば転送許容と見なし、内部のデータベース３１における利用可否フラグを書き換え（ステップＳ１０）、ＭＳＩ２に対して使用可能状態を「１」とし、交換局２１に情報書き換え応答を送信する（ステップＳ１１）。
【００５９】
この処理により、機体番号ＭＳＩ２を持つ移動端末Ａ２は使用可能状態「１」に設定され、今まで通信中であった機体番号ＭＳＩ１を持つ移動端末Ａ１は使用不可状態「０」に設定される。
【００６０】
サービス制御局３０からの情報書き換え応答を受信した交換局２１は、移動端末Ａ１からＡ２への転送処理を行い（ステップＳ１２）、移動端末Ａ２に対して転送要求応答を送信する（ステップＳ１３）。
【００６１】
この処理により、移動端末Ａ１との呼設定が解除され、移動端末Ａ２との呼設定が行われることにより、移動端末Ｂ１と移動端末Ａ２との通信が確立する（ステップＳ１４）。
【００６２】
また、サービス制御局３０は、ステップＳ９において、転送による情報書き換え要求受信時に当該加入者が通信中でない場合は、転送処理非許容とし、情報書き換え応答を交換局２１に送信する（ステップＳ１５）。転送処理非許容の旨を通知された交換局２１は、移動端末Ａ１に転送要求拒否を送信し、転送処理を中止する（ステップＳ１６）。
【００６３】
なお、上記の説明では、複数端末契約者であることを前提としているが、複数端末契約者でないユーザにおいても、サービス制御局３０における内部のデータベース３１の利用可否フラグの書き換えではなく、機体番号記憶部のＭＳＩを直接書き換えることにより、切替え転送の処理を実現可能である。
【００６４】
上述したような認証処理および切替え処理を実行することにより、ユーザが同一電話番号を複数の移動端末において使用可能である場合、ある移動端末において通信中に、端末のバッテリー消耗や電波状態の悪化、移動による周辺環境の変化などの何らかの要因により当該移動端末における通信の継続が困難となった場合においても、ユーザが使用可能な別の移動端末に通信中の呼を転送することによって、通話中の呼を継続することができる。
【００６５】
［第２の例］
次に、本発明の第２の実施の形態を、図４に基づいて説明する。なお、前述した第１の例と同一部分についてはその説明を省略し、同一符号を付す。
【００６６】
本例は、転送先の端末から転送要求を行う場合の例である。なお、本システムの構成は、前述した第１の例の図１に示したシステムと同じものを用いるものとし、ここでの説明は省略する。
【００６７】
以下、転送先の端末から転送要求を行う場合の処理を、図４に基づいて説明する。
【００６８】
図４は、ユーザＡが移動端末Ａ１にて通信中に転送先の移動端末から転送要求を行う場合のシーケンス例である。
【００６９】
ユーザＡは複数端末契約者であり、電話番号ＭＳＮ１が割り当てられた移動端末Ａ１、移動端末Ａ２、移動端末Ａ３を使用することが可能である。ここで、移動端末Ａ１、移動端末Ａ２、移動端末Ａ３はそれぞれ機体番号ＭＳＩ１，ＭＳＩ２，ＭＳＩ３を持つ。
【００７０】
ユーザＡの移動端末Ａ１とユーザＢの端末Ｂ１とが通信中の状態において（ステップＳ３１）、移動端末Ａ１においてバッテリー消耗のため通信の継続が困難になった場合、移動端末Ａ１は自律的にバッテリー消耗を検出し、アラームを鳴らすことや液晶画面への文字メッセージ表示、または警告ランプなどの手段により、ユーザＡに通信継続が困難になった旨を警告する（ステップＳ３２）。
【００７１】
警告を受けたユーザＡは、同一電話番号ＭＳＮ１で使用可能な移動端末Ａ２、移動端末Ａ３の中から現在の通信を継続するための端末として移動端末Ａ２を選択し（ステップＳ３３）、移動端末Ａ２に対して転送要求を送信する（ステップＳ３４）。
【００７２】
この際、移動端末Ａ２を選択する手段としては、警告を受けたユーザＡが移動端末Ａ２を意図的に選択する方法と、移動端末Ａ１が移動端末Ａ２を自律的に検出する方法のいずれでもよい。
【００７３】
転送要求を受信した移動端末Ａ２は、これを送信した移動端末Ａ１に対して認証要求を行う（ステップＳ３５）。
【００７４】
移動端末Ａ１は認証処理を行い、認証応答を移動端末Ａ２に送信する（ステップＳ３６）。
【００７５】
移動端末Ａ２は、認証成立後、交換局２１に対して転送処理を要求するために転送要求を送信する（ステップＳ３７）。
【００７６】
移動端末Ａ２からの転送要求を受信した交換局２１は、サービス制御局３０に契約者の情報問い合わせ要求を送信する（ステップＳ３８）。
【００７７】
これを受信したサービス制御局３０では、当該加入者が電話番号ＭＳＮ１における複数端末契約が許容であるか否かを判断し（ステップＳ３９）、複数端末契約許容であれば、次の判断処理に移る。
【００７８】
当該加入者が電話番号ＭＳＮ１において複数端末契約許容である場合、サービス制御局３０は、ＭＳＮ１に対応付けられた移動端末Ａ１〜Ａ３のうち、転送要求を送信してきている移動端末Ａ２以外の他の端末が通信中であるか否かを判断する（ステップＳ４０）。
【００７９】
そして、移動端末Ａ２以外の他の端末が通信中であると判断した場合、転送許容と見なし、内部のデータベース３１における利用可否フラグを書き換え（ステップＳ４１）、ＭＳＩ２に対して使用可能状態を「１」とし、交換局２１に情報問い合わせ応答を送信する（ステップＳ４２）。
【００８０】
このような処理により、機体番号ＭＳＩ２を持つ移動端末Ａ２は使用可能状態「１」に設定され、今まで通信中であった機体番号ＭＳＩ１を持つ移動端末Ａ１は使用不可状態「０」に設定される。
【００８１】
なお、上記の移動端末Ａ２以外の他のいずれかの移動端末が通信中であるか否かを判断する処理に際して、さらに、それら他の移動端末のうちどの移動端末が通信中かを特定するような処理を行う場合には、共有化された全ての移動端末に関する情報をデータベース３１に予め記憶しておき、移動端末Ａ２から転送要求の情報が送られてきたときにその記憶された情報を参照することによって通信中の移動端末の特定を行うことも可能である。
【００８２】
そして、複数端末契約許容、並びに契約者の他の端末（ここでは移動端末Ａ１）が通信中という条件を満たした場合、情報問い合わせ応答を受信した交換局２１は、移動端末Ａ１から移動端末Ａ２に通信中の呼の転送処理を行う（ステップＳ４３）。
【００８３】
移動端末Ａ１との通信終了を確認した交換局２１は、転送要求応答を移動端末Ａ２に送信する（ステップＳ４４）。
【００８４】
移動端末Ａ２が交換局２１からの転送要求応答を受信した時点で、ユーザＡの移動端末Ａ２とユーザＢの端末Ｂ１との通信が確立する（ステップＳ４５）。
【００８５】
当該加入者が電話番号ＭＳＮ１において複数端末契約非許容であるか、若しくは電話番号ＭＳＮ１において、転送要求を行っている移動端末Ａ２以外の移動端末が非通信中状態である場合は、サービス制御局３０は交換局２１に情報問い合わせ応答としてその旨を送信し（ステップＳ４６）、これを受信した交換局２１では呼転送を拒否し、移動端末Ａ２に転送要求拒否応答を送信する（ステップＳ４７）。
【００８６】
なお、本例では、転送を検出するタイミングをバッテリー消耗としているが、これは電波状況悪化等、移動端末が通信の継続が困難であることを自律的に検出可能な要因であればよい。
【００８７】
移動端末が自律的に転送を行うタイミングとしては、通信継続が困難であることを検出したことの他、例えば携帯移動端末で通信中に自動車に乗り込み、車載型の高出力移動端末を検出した場合や、携帯移動端末単体でデータ通信を行っている際にカーナビを検出した場合など、より適切な端末が近くにあることを検出した場合であってもよい。
【００８８】
また、本発明は、音声のみに限定するものではなく、テキスト・画像・動画配信などのデータ通信においても同様の概念が適用できる。
【００８９】
応用例として、マルチメディア通信を行う場合、発信者若しくはサービス制御局３０において当該呼の接続サービス情報を付与し、着信側に接続サービス情報を通知することにより、例えば動画通信を行いたい場合において使用可能となっている移動端末が音声通信のみの対応である場合に、移動端末を端末が自律的に変更することも可能である。
【００９０】
【発明の効果】
以上説明したように、本発明によれば、同一番号が共有化された複数の端末のうちのいずれか１つの端末において、共有化された他の端末への転送の切替えを行うか否かを判断し、転送の切替えを行うと判断した場合、共有化された他の端末の中から転送の切替えを行う端末を認証し、該認証された端末に対する転送の切替え要求を通信制御局へ出力し、通信制御局においては、その端末から出力された転送の切替え要求に基づいて、認証された端末に対して転送の切替え処理を実行するようにしたので、ユーザが同一番号を複数の移動端末にて使用可能な場合において、一つの移動端末で通信中に通信継続が困難になった場合若しくは別の移動端末で通信を継続したい場合、その通信を継続したい第２の移動端末から転送要求を行うか、若しくは、通信中の端末が自律的に第２の移動端末への転送要求を行うことによって、通信中の呼を継続することが可能となり、これにより、ユーザの利便性を向上させることができる。
【００９１】
また、本発明によれば、従来行われている他の番号への転送サービスでは、発信端末側が負担する通信料に加え、転送元の端末から転送先の端末への通信料が発生するが、同一番号での切替え転送となるので、この切替え転送処理に係る通信料が発生せず、これにより、利便性のみならず、より経済的なものとすることができる。
【図面の簡単な説明】
【図１】本発明の第１の実施の形態である、移動通信システムの全体構成を示すブロック図である。
【図２】サービス制御局内部のデータベースの構成を示す説明図である。
【図３】通信中に転送元の移動端末からネットワークに転送要求を行う場合の処理例を示すフローチャートである。
【図４】本発明の第２の実施の形態である、通信中に転送先の移動端末からネットワークに転送要求を行う場合の処理例を示すフローチャートである。
【符号の説明】
１〜３  移動端末
１１〜１４  基地局
２１，２２  交換局
３０  サービス制御局
３１  データベース
４０  通信回線
４１  電話番号
４２  機体番号
４３  所在情報
４４  利用可否
【図１】
0003943368.tif 000002
【図２】
0003943368.tif 000003
【図３】
0003943368.tif 000004
【図４】
0003943368.tif 000005